(57)【要約】【課題】不使用時に高透光性となり、使用時に投射光を観察者側に効率的に反射するスクリーンを提供すること。【解決手段】投射光Ｌ２を全反射可能な第１傾斜面２ａを有する第１透光性基板２と、第１透光性基板２の第１傾斜面側２ａと対向する第２透光性基板３と、第１透光性基板２と第２透光性基板３との間に挟まれる緩衝材１４と、緩衝材１４と第１透光性基板２との密着状態及び離間状態を切り替える切替装置１５と、を備える。これにより、第１透光性基板等と緩衝材とが離間状態のときには投射光Ｌ２を表示させることができ、密着状態のときには投射側からの光を通過させ外光Ｌ１を効率よく取り込むことができる。したがって、スクリーン１０の使用時には、コントラストのよい投射画像を得ることができ、不使用時には、例えば透過率の高いガラス窓状となるので、インテリア性の高いスクリーンとすることができる。【選択図】図１
2009020317.tif 000002
【特許請求の範囲】
【請求項１】
内部伝播した投射光を全反射可能な第１傾斜面を有する第１透光性基板と、
前記第１透光性基板の前記第１傾斜面側と対向する第２透光性基板と、
前記第１透光性基板と前記第２透光性基板との間に挟まれる緩衝材と、
前記緩衝材と前記第１透光性基板との密着状態及び離間状態を切り替える切替装置と、
を備えるスクリーン。
【請求項２】
前記第２透光性基板は、前記第１透光性基板の第１傾斜面とかみ合う第２傾斜面を有する、請求項１記載のスクリーン。
【請求項３】
前記第２傾斜面は、内部伝播した外光を全反射可能である、請求項２記載のスクリーン。
【請求項４】
前記第１透光性基板の基材と、前記第２透光性基板の基材と、前記緩衝材とは、屈折率が近い材料である、請求項１から請求項３までのいずれか一項記載のスクリーン。
【請求項５】
前記緩衝材は、前記密着状態において、前記第１透光性基板及び前記第２透光性基板の間に満たされる、請求項１から請求項４までのいずれか一項記載のスクリーン。
【請求項６】
前記第１透光性基板及び前記第２透光性基板の間に、液体状の前記緩衝材を収容した複数のセルを有する、請求項１から請求項５までのいずれか一項記載のスクリーン。
【請求項７】
前記第１透光性基板及び前記第２透光性基板の側面は、前記複数のセルごとに、前記密着状態において膨張し離間状態において収縮する弾力性のある膜で互いにつながれている、請求項６記載のスクリーン。
【請求項８】
前記第１透光性基板及び前記第２透光性基板の側面は、前記複数のセルごとに通気孔と前記緩衝材用の液溜めとを有する連結部材で互いにつながれている、請求項６記載のスクリーン。
【請求項９】
前記緩衝材を収容するとともに、前記緩衝材を前記第１透光性基板と前記第２透光性基板との間に供給可能な容器部分をさらに備える請求項１から請求項５までのいずれか一項記載のスクリーン。
【請求項１０】
前記密着状態と前記離間状態との切り替えにおいて、前記第１透光性基板を移動させる駆動部をさらに備える請求項１から請求項９までのいずれか一項記載のスクリーン。
【発明の詳細な説明】
【技術分野】
【０００１】
本発明は、投射用のスクリーンに係り、特に不使用時に透光性となる画像投射用のスクリーンに関する。
【背景技術】
【０００２】
プロジェクタ等の投影に用いるスクリーンとして、投射光をスクリーン上に投射し、その反射光を観察者が映像として観察するものが一般的である。このようなスクリーンに、透明タイプの投影スクリーンがあり、例えば、偏光を利用することにより、明るい環境下でも映像を鮮明に表示することが可能な透過反射両用投影スクリーンがある（特許文献１参照）。
【特許文献１】特開２００６−２２７５８１号公報
【発明の開示】
【発明が解決しようとする課題】
【０００３】
しかしながら、上記スクリーンでは透過光の半分の偏光を捨ててしまうことにより原理的に透過率が落ち、スクリーン不使用時に外光を効率よく透過させることが困難である。そのため、外光の高透過率を必要とする窓ガラス等と兼用する場合には、上記スクリーンを利用しにくい面がある。
【０００４】
そこで、本発明は、不使用時に高透光性となり、使用時に投射光を観察者側に効率的に反射するスクリーンを提供することを目的とする。
【課題を解決するための手段】
【０００５】
上記課題を解決するために、本発明に係るスクリーンは、（ａ）内部伝播した投射光を全反射可能な第１傾斜面を有する第１透光性基板と、（ｂ）第１透光性基板の第１傾斜面側と対向する第２透光性基板と、（ｃ）第１透光性基板と第２透光性基板との間に挟まれる緩衝材と、（ｄ）緩衝材と第１透光性基板との密着状態及び離間状態を切り替える切替装置と、を備える。ここで、密着状態と離間状態との切り替えは、例えば第１透光性基板を可動にしたものであっても、第１及び第２透光性基板を固定したものであってもよい。
【０００６】
上記スクリーンでは、第１及び第２透光性基板の間に緩衝材を挟むことにより、第１透光性基板等と緩衝材とを密着させた状態で第１傾斜面への入射光を透過させ、離間させた状態で第１傾斜面への入射光を効率よく反射させることができる。つまり、第１透光性基板等と緩衝材とが離間状態のときには投射光を反射によって表示させることができ、密着状態のときには投射側及び外側からの光を通過させ外光の取り込みが妨げられることを防止することができる。したがって、スクリーン使用時には、コントラストのよい投射画像を得ることができ、不使用時には、例えば透過率の高いガラス窓状となるので、インテリア性の高いスクリーンとすることができる。
【０００７】
また、本発明の具体的な態様又は観点では、第２透光性基板は、第１透光性基板の第１傾斜面とかみ合う第２傾斜面を有する。この場合、第１及び第２透光性基板を互いにかみ合う傾斜面を有するものとすることにより、投射光だけでなく外光の全反射の方向性を制御でき、投射光の反射光中に漏れ込む外光を低減することができる。
【０００８】
本発明のさらに別の態様によれば、第２傾斜面は、内部伝播した外光を全反射可能である。この場合、第２傾斜面によって外光を全反射させることにより、第１透過性基板側に外光が透過するのを防ぐことができる。例えば、離間状態において、第２透光性基板の外側から入射する光は、第１及び第２透光性基板の間の領域の屈折率と第２透光性基板の屈折率との違いにより内側の第２傾斜面において全反射される。
【０００９】
本発明のさらに別の態様によれば、第１透光性基板の基材と、第２透光性基板の基材と、緩衝材とは、屈折率が近い材料である。この場合、第１及び第２透光性基板を密着させたときに効率よく光を透過させることができる。
【００１０】
本発明のさらに別の態様によれば、緩衝材は、密着状態において、第１透光性基板及び第２透光性基板の間に満たされる。この場合、基板間に緩衝材を満たすことにより、効率よく光を透過させることができる。
【００１１】
本発明のさらに別の態様によれば、第１透光性基板及び第２透光性基板の間に、液体状の緩衝材を収容した複数のセルを有する。この場合、第１及び第２透光性基板の間をセル状にすることにより、基板の間にある緩衝材を効率的に保持することができる。また、第１透光性基板に液状の緩衝材を迅速に密着させることができる。
【００１２】
本発明のさらに別の態様によれば、第１透光性基板及び第２透光性基板の側面は、複数のセルごとに、密着状態において膨張し離間状態において収縮する弾力性のある膜で互いにつながれている。この場合、密着状態において離間状態の第１透光性基板と第２透光性基板との間に延在していた気体と余分な緩衝材とを膨張した膜内に移して溜めることができる。
【００１３】
本発明のさらに別の態様によれば、第１透光性基板及び第２透光性基板の側面は、複数のセルごとに通気孔と緩衝材用の液溜めとを有する連結部材で互いにつながれている。この場合、密着状態において、離間状態の第１透光性基板と第２透光性基板との間に延在していた余分な緩衝材を液溜めに移して溜めることができる。また、通気孔によって、密着状態に移行の際に第１及び第２透光性基板の間から気体を抜けやすくすることができる。
【００１４】
本発明のさらに別の態様によれば、緩衝材を収容するとともに、緩衝材を第１透光性基板と第２透光性基板との間に供給可能な容器部分をさらに備える。この場合、第１及び第２透光性基板の間に満たす緩衝材をタンク等の容器部分から供給することにより、必要なタイミングで必要量だけ基板間に緩衝材を満たすことができる。ここで、密着状態と離間状態との切り替えは、緩衝材の供給の断続に際して、例えば第１透光性基板を変位させるものであっても、両者を固定したものであってもよい。
【００１５】
本発明のさらに別の態様によれば、密着状態と離間状態との切り替えにおいて、第１透光性基板を移動させる駆動部をさらに備える。この場合、第１透光性基板を移動させることで密着状態と離間状態との切り替えを行うことにより、密着状態及び離間状態における緩衝材と第１透光性基板との関係を簡易に調整することができる。
【発明を実施するための最良の形態】
【００１６】
〔第１実施形態〕
以下、図面を参照して、本発明の第１実施形態に係るスクリーンについて説明する。
図１は、スクリーン１０の構成を説明する図である。図１（Ａ）は、スクリーン１０不使用時の構造を示した断面図であり、図１（Ｂ）は、スクリーン１０使用時の構造を示した断面図であり、図１（Ｃ）は、スクリーン１０の平面図である。また、図２は、スクリーン１０の不使用及び使用の状態を一部拡大して説明する正面図である。図２（Ａ）は、不使用時の状態、図２（Ｂ）は、使用時の状態を示す。
【００１７】
スクリーン１０は、互いに対面する第１及び第２透光性基板２、３と、第１及び第２透光性基板２、３の間に延在する緩衝材１４と、第１透光性基板２と第２透光性基板３とをつなげる膜である保持膜８と、緩衝材１４と第１透光性基板２との間を密着状態（図１（Ａ）参照）及び離間状態（図１（Ｂ）参照）を切り替える切替装置１５とを備える。ここで、密着状態とは、緩衝材１４と第１及び第２透光性基板２、３とが密着している状態をいい、離間状態とは、緩衝材１４と第１及び第２透光性基板２、３とが分離して密着していない状態をいう。
【００１８】
第１及び第２透光性基板２、３は、それぞれ片面に鋸状の第１傾斜面２ａ及び第２傾斜面３ａを有し、第１及び第２傾斜面２ａ、３ａ同士が互いにかみ合うようになっている。第１及び第２透光性基板２、３の反対側の表面２ｂ、３ｂは、ともに平面形状となっている。離間状態において、第１及び第２透光性基板２、３に表面２ｂ、３ｂ側から入ってきた光は、内部を伝播しそれぞれ第１及び第２傾斜面２ａ、３ａ上で全反射される。なお、第１及び第２透光性基板２、３の材料としては、ガラス、プラスチック等の透明な材料が適する。
【００１９】
図１（Ｂ）に示すように、第１及び第２透光性基板２、３の間には微小空間４が設けられており、弾力性のある仕切膜２４により微小空間４内を上下に区切られ、ＡＢに垂直な方向に延びる複数のセル３４が縦方向に並んでいる。セル３４内には、少量の緩衝材１４が入っており、第１及び第２透光性基板２、３を接近させることにより、緩衝材１４と各透光性基板２、３とが密着して密着状態となる。つまり、微小空間４内に緩衝材１４が満たされた状態となる。なお、仕切膜２４は、密着状態において緩衝材１４と両透光性基板２、３との密着の妨げとならないように伸縮可能となっている。
【００２０】
緩衝材１４は、第１及び第２透光性基板２、３と略等しい屈折率を有している。具体的には、緩衝材１４の屈折率は１．４〜１．６３であり、第１及び第２透光性基板２、３との屈折率差は±０．１の範囲のものであることが好ましい。これにより、緩衝材１４と両透光性基板２、３が密着したとき、両透光性基板２、３に入射する光が透過する。緩衝材１４は、例えば粘性の高い液体や表面張力の大きい液体等（例えばエチレングリコール）であり、離間状態のときは、両透光性基板２、３の内面に接触しないようになっている。なお、第１及び第２傾斜面２ａ、３ａに撥水加工を施すことによっても同様の効果が得られる。
【００２１】
図１（Ｃ）に示すように、保持膜８は、第１及び第２透光性基板２、３の側面を覆っており、両透光性基板２、３をついないでいる。これにより、緩衝材１４が側面から漏れないようになっている。また、図２に示すように、保持膜８は、弾力性があり、緩衝材１４が微小空間４内に満たされた密着状態において膨張し（図２（Ａ）参照）、離間状態において収縮する（図２（Ｂ）参照）。保持膜８は、セル３４単位で区切られており、密着状態及び離間状態の切り替えに応じて、セル単位で膨張、収縮するようになっている。これにより、各セル３４内に緩衝材１４を保持することができる。なお、密着状態に移行する際に、セル３４内に気体が残留する場合があるが、しばらくすると毛細管現象により、緩衝材１４がセル３４内にくまなく行き渡るようになる。
【００２２】
切替装置１５は、第１透光性基板２を支える例えば枠体状の第１支持部材５と、第２透光性基板３を支える例えば枠体状の第２支持部材６と、第１支持部材５を駆動するアクチュエータ７とを有する。第２支持部材６は固定されており、アクチュエータ７の駆動により第１支持部材５がＡＢ方向に滑らかに移動することで微小空間４の距離調整がされる。
【００２３】
以下、スクリーン１０の駆動について説明する。スクリーン１０使用時は、図１（Ｂ）、（Ｃ）、図３に示すように、駆動部であるアクチュエータ７の駆動により第１支持部材５がＡ方向へ移動し、離間状態となっている。この場合、微小空間４は、気体ＡＲが満たされた状態となっており、第１及び第２傾斜面２ａ、３ａにおいて全反射が起こる。すなわち、第２透光性基板３の表面３ｂ側から入射した外光Ｌ１は第２透光性基板３内を伝播して第２傾斜面３ａで反射され、スクリーン１０の下方に設置したプロジェクタ２０から投射された投射光Ｌ２は第１透光性基板２の表面２ｂ側から入射して第１透光性基板２内を伝播し、第１傾斜面２ａで反射される。つまり、第１透光性基板２の表面２ｂ側には、投射光Ｌ２が表示されることとなり、スクリーン１０正面方向のユーザが映像を観察できるようになる。なお、第１傾斜面２ａの角度は、投射光Ｌ２を下方から投射した場合、表面２ｂ上に表示される角度となっている。第１傾斜面２ａに隣接する面２ｄは、第１透光性基板２に斜め上方から入射する照明光Ｌ３が第１透光性基板２内に入射しても、第１傾斜面２ａ等を介して照明光Ｌ３を通過させるような傾斜角度となっている。
【００２４】
また、スクリーン１０不使用時は、図１（Ａ）に示すように、アクチュエータ７の駆動により第１支持部材５がＢ方向へ移動し、密着状態となっている。この場合、微小空間４は、緩衝材１４で満たされた状態となっており、第１及び第２傾斜面２ａ、３ａにおいて全反射が起こらないため、外光Ｌ１が両透光性基板２、３を透過可能となる。同様の理由から、スクリーン１０に投射光Ｌ２を投射しても両透光性基板２、３を通過してスクリーン１０には映像は表示されない。つまり、スクリーン１０は、透過性の高い窓として機能している。
【００２５】
以上説明したスクリーン１０では、第１及び第２透光性基板２、３の間に延在する緩衝材１４の状態を調整することにより、密着状態において外光Ｌ１を効率よく透過させ、離間状態において第１透光性基板２で投射光Ｌ２を効率よく反射させ、第２透光性基板３で外光Ｌ１を反射させることができる。つまり、第１及び第２透光性基板２、３が離間状態のときには表面３ｂ側からの外光Ｌ１を反射させ、第１透光性基板２上に投射光Ｌ２による映像を表示させることができ、密着状態のときには表面２ｂ、３ｂ側からの光を通過させ、効率よく外光Ｌ１を取り込むことができる。したがって、スクリーン使用時には、コントラストのよい投射画像を得ることができ、不使用時には、例えば透過率の高いガラス窓状となるので、インテリア性の高いスクリーンとすることができる。
【００２６】
また、スクリーン１０では、傾斜面２ａ、３ａが互いにかみ合うことにより、投射光Ｌ２だけでなく外光Ｌ１の全反射の方向性を制御でき、投射光Ｌ２の反射光中に漏れ込む外光Ｌ１を低減することができる。また、セル３４により、緩衝材１４を効率的に保持することができる。そのため、第１透光性基板２に液状の緩衝材１４を迅速に密着させることができる。また、切替装置１５により、密着状態及び離間状態における緩衝材１４と第１透光性基板２との関係を簡易に調整することができる。また、保持膜８により、密着状態にした際に生じる余分な緩衝材１４や気体ＡＲを保持膜８内に溜めることができる。
【００２７】
なお、本実施形態では、第１及び第２透光性基板２、３の側面を保持膜８によりつないでいるが、図４に示すように、複数のセル３４ごとに通気孔１８ａと緩衝材１４用の液溜め１８ｂとを有する連結部材１８で両透光性基板２、３の側面を互いにつないでもよい。ここで、図４は、密着状態を示しているが、連結部材１８を設けることにより、密着状態において第１透光性基板２と第２透光性基板３との間に延在していた余分な緩衝材１４を液溜め１８ｂに溜めることができる。また、通気孔１８ａによって、密着状態に移行の際に第１及び第２透光性基板２、３の間から気体ＡＲを抜けやすくすることができる。なお、液溜め１８ｂは、第２透光性基板３側に固定され、第１透光性基板２に対してシールされた状態で可動になっている。
【００２８】
〔第２実施形態〕
以下、第２実施形態に係るスクリーンについて説明する。なお、第２実施形態に係るスクリーン１１０は、第１実施形態のスクリーン１０を変形したものであり、特に説明しない部分については、第１実施形態と同様であるものとする。
【００２９】
図５は、スクリーン１１０の構成を説明する図である。図５（Ａ）は、スクリーン１１０不使用時の構造を示した断面図であり、図５（Ｂ）は、スクリーン１１０使用時の構造を示した断面図である。
【００３０】
スクリーン１１０は、第１及び第２透光性基板２、３と、緩衝材１１４と、切替装置１５とを備える。切替装置１５は、密着状態（図５（Ａ）参照）と離間状態（図５（Ｂ）参照）とを切り替える。ここで、密着状態とは、緩衝材１１４と第１及び第２透光性基板２、３とが密着している状態をいい、離間状態とは、緩衝材１１４と第１透光性基板２とが分離して密着していない状態をいう。
【００３１】
第１及び第２透光性基板２、３は、それぞれ片面に鋸状の第１傾斜面２ａ、第２傾斜面３ａを有し、第１及び第２傾斜面２ａ、３ａ同士が互いにかみ合うようになっており、両透光性基板２、３の間には微小空間１０４が設けられている。第２透光性基板３の第２傾斜面３ａには、例えばゲル状で層状に形成された緩衝材１１４が密着しており、第１及び第２透光性基板２、３を接近させることにより、緩衝材１１４と第１透光性基板２とが密着する。つまり、微小空間１０４内に緩衝材１１４が満たされた状態となる。離間状態において、第１透光性基板２に表面２ｂを介して斜め下方から入ってきた光は、第１傾斜面２ａ上で全反射され、第２透光性基板３に表面３ｂを介して横方向から入ってきた光は、緩衝材１１４と微小空間１０４との境界１１４ａで全反射される。緩衝材１１４の境界１１４ａは、密着状態から離間状態の切り替えの際に第１傾斜面２ａから分離しやすいように例えば全体として弾性を有し表面が非付着性を有するように加工されている。
【００３２】
以下、スクリーン１１０の駆動について説明する。スクリーン１１０使用時は、図５（Ｂ）に示すように、駆動部であるアクチュエータ７の駆動により第１支持部材５がＡ方向へ移動し、離間状態となっている。この場合、微小空間１０４は、第１透光性基板２側が全体的に気体ＡＲで満たされた状態となっており、第１傾斜面２ａ及び境界１１４ａにおいて全反射が起こる。
【００３３】
また、スクリーン１１０不使用時は、図５（Ａ）に示すように、アクチュエータ７の駆動により第１支持部材５がＢ方向へ移動し、密着状態となっている。この場合、微小空間１０４は、緩衝材１１４で完全に満たされた状態となっており、第１傾斜面２ａ及び境界１１４ａにおいて全反射が起こらないため、外光Ｌ１が両透光性基板２、３を透過可能となる。同様の理由から、スクリーン１１０に投射光Ｌ２を投射してもスクリーン１１０には映像は表示されない。
【００３４】
以上説明したスクリーン１１０では、第１及び第２透光性基板２、３の間に延在する緩衝材１１４の状態を調整することにより、第１及び第２透光性基板２、３が離間状態のときには表面３ｂ側からの外光Ｌ１を反射させ、第１透光性基板２上に投射光Ｌ２を表示させることができ、密着状態のときには表面２ｂ、３ｂ側からの光を通過させ、効率よく外光Ｌ１を取り込むことができる。
【００３５】
〔第３実施形態〕
以下、第３実施形態に係るスクリーンについて説明する。なお、第３実施形態に係るスクリーン２１０は、第１及び第２実施形態のスクリーン１０等を変形したものであり、特に説明しない部分については、第１実施形態等と同様であるものとする。
【００３６】
図６は、スクリーン２１０の構成を説明する図である。図６（Ａ）は、スクリーン２１０不使用時の構造を示した断面図であり、図６（Ｂ）は、スクリーン２１０使用時の構造を示した断面図である。
【００３７】
スクリーン２１０は、第１及び第２透光性基板２、３と、緩衝材２１４と、切替装置２１５と、供給装置２３０とを備える。切替装置２１５は、密着状態（図６（Ａ）参照）と離間状態（図６（Ｂ）参照）とを切り替える。供給装置２３０は、緩衝材２１４を微小空間２０４に供給する。ここで、密着状態とは、緩衝材２１４と第１及び第２透光性基板２、３とが密着している状態をいい、離間状態とは、緩衝材２１４と第１及び第２透光性基板２、３とが分離して密着していない状態をいう。また、微小空間２０４は、第１及び第２透光性基板２、３の間の隙間をいう。
【００３８】
第１及び第２透光性基板２、３は、それぞれ片面に鋸状の第１傾斜面２ａ、第２傾斜面３ａを有し、第１及び第２傾斜面２ａ、３ａ同士が互いにかみ合うようになっている。第１透光性基板２に表面２ｂを介して斜め下方向から入ってきた光は、第１傾斜面２ａ上で全反射され、第２透光性基板３に表面３ｂを介して横方向から入ってきた光は、第２傾斜面３ａ上で全反射される。
【００３９】
第１及び第２透光性基板２、３の側面は不図示の弾力性のあるシール膜で覆われており、微小空間２０４内の緩衝材２１４が漏れないようになっている。
【００４０】
切替装置２１５は、第１透光性基板２の移動を案内するガイド部２１６と、ガイド部２１６の駆動部であるアクチュエータ２１７とを有する。切替装置２１５は、アクチュエータ２１７の駆動により第１透光性基板２をＡＢ方向に移動させ、密着状態及び離間状態の切り替えを行う。ガイド部２１６は、第１透光性基板２を支持し、ＡＢ方向の円滑な移動を可能としている。
【００４１】
供給装置２３０は、緩衝材２１４を収容する容器部分であるタンク２３１と、緩衝材２１４を微小空間２０４に供給するためのバルブ２３２と、緩衝材２１４を一時的に収容する収容部分２３３と、収容部分２３３とタンク２３１とを連結するパイプ２３４と、収容部分２３３からタンク２３１へと緩衝材２１４を送り返すポンプ２３５とを有する。収容部分２３３は、密着状態から離間状態への切り替えの際に微小空間２０４から排出される緩衝材２１４を収容する。
【００４２】
以下、スクリーン２１０の駆動について説明する。スクリーン２１０使用時は、図６（Ｂ）に示すように、アクチュエータ２１７の駆動により第１透光性基板２がＡ方向へ移動し、離間状態となっている。この場合、微小空間２０４は、緩衝材２１４が排出された状態となっており、第１及び第２傾斜面２ａ、３ａにおいて全反射が起こる。ここで、排出された緩衝材２１４は、ポンプ２３５により、パイプ２３４を介してタンク２３１に戻される。
【００４３】
また、スクリーン２１０不使用時は、図６（Ａ）に示すように、アクチュエータ２１７の駆動により第１透光性基板２がＢ方向へ移動し、第２透光性基板３と所定の間隔となる位置で静止する。その後、バルブ２３２が開き、図１等でも使う毛細管現象によってタンク２３１から微小空間２０４内に緩衝材２１４がくまなく供給され、密着状態となる。これにより、微小空間２０４は、緩衝材２１４が満たされた状態となっており、第１及び第２傾斜面２ａ、３ａにおいて全反射が起こらないため、外光Ｌ１が両透光性基板２、３を透過可能となる。同様の理由から、スクリーン２１０に投射光Ｌ２を投射してもスクリーン２１０には映像は表示されない。
【００４４】
以上説明したスクリーン２１０では、第１及び第２透光性基板２、３の間に延在する緩衝材２１４の状態を調整することにより、第１及び第２透光性基板２、３が離間状態のときには表面３ｂ側からの外光Ｌ１を反射させ、第１透光性基板２上に投射光Ｌ２を表示させることができ、密着状態のときには表面２ｂ、３ｂ側からの光を通過させ、効率よく外光Ｌ１を取り込むことができる。
【００４５】
また、バルブ２３２を利用して、緩衝材２１４をタンク２３１から微小空間２０４に供給することにより、離間状態から密着状態へ移行する際に、微小空間２０４内に適量の緩衝材２１４を満たすことができる。
【００４６】
なお、本実施形態において、毛細管現象によって微小空間２０４に緩衝材２１４を供給しなくても、スクリーン２１０下端において、緩衝材２１４の排出口とともに開閉可能な栓等を設け、抵抗なく緩衝材２１４を供給できるような十分大きな間隔を有する微小空間２０４に緩衝材２１４を流し込むことによって密着状態を作り出してもよい。例えば、密着状態において、緩衝材２１４の排出口の栓を閉じ、バルブ２３２を開け、タンク２３１から微小空間２０４内に緩衝材２１４をくまなく供給し、離間状態において、緩衝材２１４の排出口の栓を開き、切替装置２１５により第１透光性基板２をＡ方向に移動し、緩衝材２１４を排出する。
【００４７】
また、本実施形態において、第１透光性基板２を移動させることにより密着状態と離間状態との切り替えを行ったが、第１透光性基板２と第２透光性基板３とを固定し、空気圧を利用して密着状態と離間状態との切り替えを行ってもよい。例えば、スクリーン２１０の上部に空気を供給するバルブを設け、密着状態において、空気側のバルブを閉めて微小空間２０４にタンク２３１からの緩衝材２１４を満たし、離間状態において、空気側のバルブを開けて微小空間２０４に空気を送り込み、微小空間２０４内の緩衝材２１４を排出する。また、両透光性基板２、３を厚めの間隔をあけて固定し、微小空間２０４の下側の緩衝材２１４の排出口に開閉可能な栓等を設け、緩衝材２１４をタンク２３１から微小空間２０４に流し込むことにより密着状態を作り出してもよい。例えば、密着状態において、スクリーン１０の下側の緩衝材２１４の排出口の栓を閉じ、緩衝材２１４を微小空間２０４内に満たし、離間状態において、緩衝材２１４の排出口の栓を開き、微小空間２０４内の緩衝材２１４を排出する。また、毛細管現象を利用し、緩衝材２１４を下から吸い上げることにより密着状態を作り出してもよい。例えば、密着状態において、第１及び第２透光性基板２、３を所定の微小間隔をあけて固定し、両透光性基板２、３の下部から毛細管現象によって緩衝材２１４を吸い上げ、微小空間２０４内に緩衝材２１４を満たし、離間状態において、第１及び第２透光性基板２、３の上方から微小空間２０４内に圧縮空気を送り込み、微小空間２０４内から緩衝材２１４を排出する。
【００４８】
なお、この発明は、上記の実施形態に限られるものではなく、その要旨を逸脱しない範囲において種々の態様において実施することが可能であり、例えば次のような変形も可能である。
【００４９】
以上で説明したスクリーンにおいて、密着状態及び離間状態の切り替え方法は、上記の実施形態で説明した方法に限らず、第１及び第２透光性基板２、３の間に緩衝材１４等が満たされた状態と満たされていない状態を作り出せる方法であればよい。
【００５０】
以上で説明したスクリーンにおいて、第１及び第２透光性基板２、３の側面を覆うために、弾力性のあるシール膜を用いたが、密着状態及び離間状態の際にシール膜が伸縮する必要がない場合、例えば第１及び第２透光性基板２、３を固定して密着状態及び離間状態の切り替えを行う場合は、シール膜に弾力性がなくてもよい。
【図面の簡単な説明】
【００５１】
【図１】（Ａ）、（Ｂ）、（Ｃ）は、第１実施形態のスクリーンの構成を説明する図である。
【図２】図１に示すスクリーンの正面図である。
【図３】図１に示すスクリーン使用時を説明する図である。
【図４】図１、２に示すスクリーンの変形例を示すである。
【図５】（Ａ）、（Ｂ）は、第２実施形態のスクリーンの構成を説明する図である。
【図６】（Ａ）、（Ｂ）は、第３実施形態のスクリーンの構成を説明する図である。
【符号の説明】
【００５２】
１０、１１０、２１０…スクリーン、  ２…第１透光性基板、  ３…第２透光性基板、  ２ａ…第１傾斜面、  ３ａ…第２傾斜面、  ４、１０４、２０４…微小空間、  ８…保持膜、  ２４…仕切膜、  ３４…セル、  １４、１１４、２１４…緩衝材、  １５、２１５…切替装置、  ２３０…供給装置、  Ｌ１…外光、  Ｌ２…投射光、  Ｌ３…照明光、  ＡＲ…気体
【図１】
2009020317.tif 000003
【図２】
2009020317.tif 000004
【図３】
2009020317.tif 000005
【図４】
2009020317.tif 000006
【図５】
2009020317.tif 000007
【図６】
2009020317.tif 000008